(57)【要約】本発明は愛玩動物の排泄物を処理することが可能な愛玩動物用便器に関する。より具体的に、本発明は、愛玩動物が排泄するために所定距離内の便器に接近することを内蔵センサが感知すると自動的に作動する愛玩動物用便器に関する。愛玩動物が排泄を終えてから便器から離れると、床部材が回転することにより、排泄物を自動的に処理する。この便器は、愛玩動物が便器上に所定時間以上留まるときに動作するように設計されている。したがって、この便器は愛玩動物の排泄物による面倒さ及び不潔さを効率よく防止する。
2005523030.tif 000002
【特許請求の範囲】
【請求項１】
愛玩動物用便器において、
フレームの中央開口部を形成する内周に形成された複数の連結凹部、及び電源部の電源により駆動されるように前記フレーム内に取り付けられた駆動モータを有するフレームと、
前記それぞれの連結凹部にピボット方式で連結された連結バーが両側に形成された複数の床部材と、
前記床部材を手動で又は駆動モータにより回転させるため、前記フレームの少なくとも一側の一部に取り付けられた駆動部と、
前記フレーム及び前記床部材の下に着脱可能に取り付けられた排泄物容器と、
愛玩動物を感知するため、前記フレーム内に取り付けられるセンサとを含み、
前記センサが前記フレーム上に愛玩動物が所定時間留まったことを感知すると、前記駆動モータが駆動されて前記床部材を回転させることを特徴とする愛玩動物用便器。
【請求項２】
前記床部材の一側の前記連結バーにはギヤが装着され、前記駆動部は、前記多数の床部材を同時に回転させるため、前記多数の床部材のギヤと交互に噛み合う多数のアイドルギヤを含むことを特徴とする請求項１に記載の愛玩動物用便器。
【請求項３】
前記床部材の一側の前記連結バーにはギヤが装着され、前記駆動部は、前記複数の床部材を同時に回転させるため、前記複数の床部材のギヤと噛み合うラックを含むことを特徴とする請求項１に記載の愛玩動物用便器。
【請求項４】
前記駆動部は前記床部材を９０〜３６０°の範囲内の角度だけ回転させることを特徴とする請求項２又は３に記載の愛玩動物用便器。
【請求項５】
前記フレームはメロディスピーカーを備えることを特徴とする請求項１に記載の愛玩動物用便器。
【請求項６】
前記センサは、音響センサ、赤外線センサ、重量センサ及びＲＦセンサからなる群から選択されることを特徴とする請求項１に記載の愛玩動物用便器。
【請求項７】
前記床部材の少なくとも一側には、前記床部材の表面に対して所定の角度に延びるピボットバーが形成され、前記駆動部は、ラック及びピニオン構造により前記駆動モータに連結されるとともに複数の突起を有するガイドバーを含み、前記ピボットバーが前記ガイドバーの突起と接触し、前記ガイドバーの移動により前記床部材が回転することを特徴とする請求項１に記載の愛玩動物用便器。
【請求項８】
前記フレームはオゾン及び陰イオンが生成される複数の通気孔を有し、前記通気孔の内部には集塵板が設けられることを特徴とする請求項１に記載の愛玩動物用便器。
【請求項９】
前記フレームにはコントロール部が装着され、前記コントロール部の外部には電源スイッチ、リセットボタン及び電源供給部が設けられ、前記コントロール部の内部にはコントロール基板、可逆モータ及びモータブラケットが順次設けられることを特徴とする請求項１に記載の愛玩動物用便器。
【請求項１０】
前記床部材は格子形構造を有することを特徴とする請求項１に記載の愛玩動物用便器。
【請求項１１】
前記フレームは、前記排泄物容器がスライド可能に装着され、かつ、前記駆動部が装着される下側フレームと、前記床部材の連結バーが挿入される前記連結凹部を形成するように前記下側フレームに連結された連結フレームとを含むことを特徴とする請求項１に記載の愛玩動物用便器。
【発明の詳細な説明】
【技術分野】
【０００１】
本発明は愛玩動物の排泄物を処理可能な愛玩動物用便器に関するものである。本発明は、本出願人が大韓民国特許庁に出願した大韓民国特許出願第２００２−２２１３７号を基にして優先権を主張する改良発明である。具体的に、本発明は、愛玩動物が愛玩動物用便器に接近することをその便器に設置されたセンサで感知する愛玩動物用便器に関するものである。愛玩動物が排泄を終えて便器から離れると、便器は愛玩動物が尿又は糞を排泄したか否かを自動的に判断して排泄物を処理する。したがって、本発明の愛玩動物用便器は愛玩動物の排泄物による不便さ及び不潔さを防止する。
【背景技術】
【０００２】
一般に、家で飼育する犬のような愛玩動物は、所有者の反復的な教育により、水で容易に洗浄可能な浴室、屋内トイレなどにだけ排泄するか、あるいは居室ではプラスチックトレーに排泄するように訓練される。
【０００３】
しかし、このような方法は、所有者が常に愛玩動物に付き添って行きながら排泄物を処理するか、又は適正な場所に排泄するかを観察しなければならないという問題点がある。
したがって、最近、多様な形態の愛玩動物用便器が開発されているが、その代表的なものとしては、２００１年１２月１７日付で出願された大韓民国実用新案登録出願第２００１−３８８５４号があり、その技術的要旨は、底壁及び該底壁の端から底壁に対して垂直に伸びている側壁からなり、愛玩動物を収容する第１空間を有する排泄部と、底壁及び該底壁の端から底壁に対して垂直に伸びている側壁からなり、トイレットペーパーを収容する第２空間を有し、前記排泄部に折畳み可能に連結されて前記排泄部を覆うカバーと、前記排泄部が前記カバーで覆われた状態を維持する解除可能なロック手段と、前記排泄部に対して前記カバーを開放状態に維持するための開放状態維持手段とを含む愛玩動物用便器である。
このように構成された愛玩動物用便器は、便器を携帯可能にバッグの形態にしたことのほかには特徴がないものである。この愛玩動物用便器は、単にバッグ形態にして携帯を便利にし、空間部にトイレットペーパーが掛かるようにして旅行時に携帯を可能にし、外観を美麗にしたことのほかには特徴がないものである。以下、従来技術の問題点を説明する。
【０００４】
第一に、従来の愛玩動物用便器は、外観が改良されたと言っても、実用的な観点で見ると依然として十分でないものである。すなわち、愛玩動物が排泄部に入り、所有者が敷いておいたトイレットペーパーに排泄するとき、所有者はトイレットペーパーを交換するか又は排泄部を洗浄することで排泄物を処理しなければならなかった。したがって、旅行中又は室内で愛玩動物が排泄する都度、所有者がこのような処理を行うことが大変不便であった。
【０００５】
第二に、カバーが排泄部に覆われていないと、愛玩動物が排泄した尿又は糞が外部に露出して悪臭を放出し、視覚的にも良くない印象を与える。
第三に、愛玩動物が排泄部に入って排泄するため、愛玩動物の脚又はその別の部分が排泄物で汚染される。
【０００６】
前述したように、従来技術の愛玩動物用便器は実際の使用に深刻な問題点を有する。根本的に、前記愛玩動物用便器は複雑な構造を有するだけでなく、実用的な使用を妨げるという欠点がある。
【発明の開示】
【発明が解決しようとする課題】
【０００７】
本発明は前記問題点に鑑みてなされたものである。本発明の目的は、排泄物の処理が簡便で容易であり、主に家庭用として使用するが、携帯にも便利である愛玩動物用便器を提供することにある。愛玩動物用便器を居室などの所定位置に置くと、愛玩動物が排泄するとき、排泄物が自動に便器に収納される。この際、所有者は一定時間の間隔で便器を洗浄するだけでよいので、愛玩動物の排泄物を容易で自動に処理することができる。
【課題を解決するための手段】
【０００８】
本発明の目的を達成するため、本発明は、フレームの中央開口部を形成する内周に形成された多数の連結凹部、及び電源部の電源により駆動されるように前記フレーム内に取り付けられた駆動モータを有するフレームと、前記それぞれの連結凹部にピボット方式で連結された連結バーが両側に形成された多数の床部材と、前記床部材を手動で又は駆動モータにより回転させるため、前記フレームの少なくとも一側の一部に取り付けられた駆動部と、前記フレーム及び前記床部材の下に着脱可能に取り付けられた排泄物容器と、愛玩動物を感知するため、前記フレーム内に取り付けられるセンサとを含む愛玩動物用便器を提供する。前記センサは、前記フレーム上に愛玩動物が所定時間留まったことを感知すると、前記駆動モータが駆動されて前記床部材を回転させる。好ましくは、前記フレームにはオゾン及び陰イオンが発生される多数の通気孔が形成され、前記通気孔の内部には集塵板が設けられる。
【０００９】
本発明の前記及びその他の目的及び特徴は添付図面に基づいて提供する以後の好ましい実施形態の説明から明らかに理解可能であろう。
【発明を実施するための最良の形態】
【００１０】
以下、本発明の好ましい実施形態を添付図面に基づいて詳細に説明する。
［実施形態１］
図１は本発明の一実施形態による愛玩動物用便器の分解斜視図、図２は本発明による愛玩動物用便器の組立斜視図、図４は本発明による愛玩動物用便器の作動状態を示す断面図、図９は本発明による床部材の回転状態を示す正面図である。
符号１で示すフレームには、一側面に回転つまみが設けられている。後述するように、回転つまみ１０はフレーム１の中央開口部を覆う複数の床部材２を手動で回転させるのに使用される。好ましくは、フレームの２つのコーナーには、電源で駆動される一対のセンサ１１が取り付けられている。前記センサはフレーム上の愛玩動物の存在を感知するのに使用される。本発明の範囲内で、フレーム上にいる愛玩動物を感知し得るどんな種類のセンサでも使用可能である。例えば、赤外線センサ、超音波センサ、ＲＦセンサ、重量センサなどを便器上の愛玩動物を感知するのに効果的に使用することができる。この実施形態ではフレームの２つのコーナーに取り付けられた２つのセンサを使用しているが、使用するセンサの種類に応じて、センサの数及び位置は本発明の範囲内で変更可能なものである。
【００１１】
好ましくは、フレームにはメロディスピーカー１２が設けられる。このメロディスピーカー１２は、愛玩動物が排泄後に便器から離れるとき、所有者に知らせるのに使用される。また、フレーム１の内周両側には複数の連結凹部１３が形成され、フレームの外部一側には、電源供給部からの電源により駆動されるモータ１４が設けられる。
【００１２】
フレームの内周により形成されるフレーム１の中央開口部には複数の床部材２が取り付けられる。好ましくは、図面に示すように、各床部材は格子の構造を有する。したがって、愛玩動物が床部材上に尿及び糞を排泄したとき、尿は床部材を通過するが、糞は床部材上に残ることになる。多数のブラインドブレードで窓を遮る方式で中央開口部の全面が多数の床部材で覆われる。各床部材の縦方向端部から一対の連結バーが伸びている。この連結バーはフレームに形成された連結凹部内にそれぞれ連結される。一般に、床部材の構造は、ほかの言及がなければ、以後の実施形態でも互いに同一である。
【００１３】
それぞれの連結バーの端部にはギヤ２０が一体的に形成される。符号３で示す駆動部は、連結バーの端部に形成されたギヤ２０の一つがモータ１４に結合されて、ギヤが好ましくは９０〜３６０°の範囲内で回転するように構成される。床部材の回転角は設計検討に応じて前記範囲内で自由に選択できる。また、ギヤ２０は回転つまみ１０の端部に形成された回転ギヤ１００と噛み合う。隣接ギヤ２０間には多数のアイドルギヤ３０が交互に配置されて、その隣接ギヤと噛み合うので、モータ１４を駆動するか又は回転つまみ１０を回転させることにより、全てのギヤ３０を同時に回転させることができる。当該分野の通常の知識を有する者であれば、前記床部材はラック及びピニオン、タイミングギヤ及びベルト、駆動チェーンなどの多様な駆動機構で回転させることが可能なことが容易に分かる。
【００１４】
電源が供給されると、アイドルギヤ３０とギヤ２０が互いに連続して噛み合っているため、モータ１４が駆動され、モータ１４に結合されたギヤ２０の一つが駆動されると、床部材２が９０〜３６０°の範囲内で回転することになる。一方、回転つまみ１０を手動で回転させると、まず回転ギヤ１００が回転し、この回転ギヤ１００と噛み合ったギヤ２０が回転する。したがって、連続して噛み合ったギヤ２０とこれらと噛み合ったアイドルギヤ３０も回転し、床部材２は９０〜３６０°の範囲内の所定角度だけ回転することができる。
【００１５】
符号４で示すカバーはフレームの上端に置かれ、その中心に握り４０が形成される。前記カバー４は愛玩動物の排泄物悪臭が外部へ排出されることを防止し、美麗な外観を与える。
【００１６】
符号５で示す排泄物容器は、フレーム１の底部と床部材２に着脱可能に装着される。好ましくは、前記排泄物容器５の底面上に吸収パッドなどを敷くことにより、愛玩動物の排泄物が排泄物容器５の底面と直接接触しないようにする。また、吸収パッドを底面上に敷いた場合、使用者が愛玩動物の排泄物を処理しようとするとき、排泄物容器５の取り扱いなしでパッドを新たなパッドで取り替えることができる。
【００１７】
以下、このように構成された本発明の好ましい実施形態による愛玩動物用便器の動作を説明する。
まず、本発明の愛玩動物用便器に電源が供給されると、フレーム１に取り付けられたセンサ１１は愛玩動物が排泄のために便器に接近しているか否かを感知する。また、センサ１１は、愛玩動物が床部材２上に排泄した後、便器から離れたか否かを感知する。一定時間が経過した後、モータ１４が作動する。したがって、モータ１４に連結されたギヤ２０が先に作動し、ほかのギヤ２０もアイドルギヤ３０により作動する。したがって、ギヤ２０と一体に形成された床部材２が回転する。
【００１８】
この状態で、床部材２とその端部に装着されたギヤ２０が自動に回転する。したがって、格子型の床部材２上に残っている愛玩動物の糞が排泄物容器５内に落ち、所定時間後に床部材２がその初期位置に戻る。床部材が３６０°回転すれば、床部材をその初期位置まで復帰させる必要はない。
【００１９】
電源を供給することができないか、又は旅行中には、本発明を次のような方式で使用することができる。
愛玩動物が排泄した後、愛玩動物の所有者がフレーム１の一側に形成された回転つまみ１０を回転させると、回転つまみ１０の端部に形成された回転ギヤ１００も回転する。よって、回転ギヤ１００と噛み合っているギヤ２０及びアイドルギヤ３０が順次回転し、ギヤ２０と一体的に形成された床部材２も９０〜１８０°回転する。したがって、愛玩動物の排泄物が排泄物容器５内に自動的に落下し、所有者は回転つまみ１０を逆方向に回転させて床部材２をその初期位置に復帰させる。
［実施形態２］
図３は本発明の別の実施形態による愛玩動物用便器の斜視図である。図３に示す本発明では、フレーム１の底面両側にレール１５が形成され、前記排泄物容器５が前記レール１５に沿ってスライドし得るように、前記レール１５に対応する突条５１が排泄物容器５の側方エッジに沿って長手方向に形成され、排泄物容器５の一外側面の中央に握り５０が形成されることを除き、実施形態１と同一の構成を有する。
【００２０】
したがって、本発明は動作面で実施形態１と実質的に同一である。しかし、両実施形態は愛玩動物の排泄物処理の方式において少し相違する。すなわち、実施形態１では、フレーム１を先に排泄物容器５から持ち上げた後、愛玩動物の排泄物を排泄物容器５から廃棄されるように構成される反面、実施形態２では、握り５０を引くことにより、突条５１がレール１５に沿って摺動する状態で排泄物容器５をフレーム１から除去するように構成される。
［実施形態３］
図５は本発明のさらに別の実施形態による愛玩動物用便器の斜視図、図６は図５の愛玩動物用便器の断面図である。
【００２１】
この実施形態は、実施形態１に使用するアイドルギヤ３０及び回転ギヤ１００を用いず、手動駆動部３の別の構成として次の構成を用いる。この別の駆動部を以下に説明する。
フレーム１の上面にはプッシュプレート１５０が形成される。プッシュプレート１５０の下部にはラック１６０が形成され、ラック１６０の下部にはスプリング１７０を内蔵するハウジング１８０が取り付けられる。ラック１６０の一側にはピニオン１９０が形成され、このピニオンは回転バー２００の一端部に固定される。回転バー２００の他端部はガイドラック２０１に固定され、ひいてはギヤ２０と結合することになる。
【００２２】
このように構成されるこの実施形態による愛玩動物用便器の作動を説明する。
まず、愛玩動物が排泄後に便器から離れると、フレームに任意に設けられたメロディスピーカー１２がメロディを発生させる。この場合、スピーカーからメロディを発生させるため、バッテリ（図示せず）をさらに設けなければならない。しかし、バッテリは当該分野に良く知られているから、この実施形態ではそれ以上説明しない。
【００２３】
この状態で、愛玩動物の所有者がプッシュプレート１５０を下に押すと、ハウジング１８０内に弾力的に支持されたスプリング１７０が圧縮され、ラック１６０と噛み合っているピニオン１９０がラック１６０上で回転する。この際、回転バー２００の他側に固定されたガイドラック２０１が図面の右側にスライドする。よって、床部材２の端部に形成されてガイドラック２０１と噛み合うギヤ２０が回転して、床部材２を９０〜３６０°の範囲内の所定角度だけ回転させる。
【００２４】
したがって、床部材２上に置かれた愛玩動物の排泄物が排泄物容器５内に落下する。また、床部材２をその初期位置に復帰させるためには、前述した作動が逆順に行われなければならない。
［実施形態４］
図７は本発明のさらに別の実施形態による愛玩動物用便器の斜視図、図８は図７の愛玩動物用便器の部分断面図である。
【００２５】
この実施形態は、手動駆動部３の構成が実施形態３とは異なる。本発明による駆動部の構成を以下に説明する。
フレーム１の上面一側にはスロット１６が形成されている。このスロット１６には移動レバー１７が挿入され、移動レバー１７の末端部には移動ラック１８が形成される。また、複数の床部材２の端部に付着されたギヤ２０は移動ラック１８と噛み合っている。
【００２６】
このように構成された本発明による愛玩動物用便器の動作を説明する。
まず、愛玩動物が排泄後に便器から離れると、フレームに任意に設けられたメロディスピーカー１２がメロディを発生させる。この場合、スピーカーからメロディを発生させるため、バッテリ（図示せず）をさらに設けなければならない。しかし、バッテリは当該分野に良く知られているから、この実施形態ではそれ以上説明しない。
【００２７】
愛玩動物の所有者が移動レバー１７を図１８の右側に移動させると、移動レバー１７の端部に一体的に形成された移動ラック１８が右側に移動する。よって、床部材２の端部に形成されて移動ラック１８と噛み合うギヤ２０が回転して、床部材２を９０〜３６０°の範囲内の所定角度だけ回転させる。したがって、床部材２上に置かれた愛玩動物の排泄物が排泄物容器５内に落下する。また、床部材２をその初期位置に復帰させるためには、前述した作動が逆順に行われなければならない。
［実施形態５］
図１０は本発明のさらに別の実施形態による愛玩動物用便器の斜視図、図１１は図１０の愛玩動物用便器の分解斜視図、図１２は図１０の愛玩動物用便器の正面図、図１３は図１０の愛玩動物用便器の作動中に床部材が開いた状態を示す断面図、図１４は図１０の愛玩動物用便器の作動中に床部材が閉じた状態を示す断面図である。
【００２８】
この実施形態は以下に詳細に説明する点で前述した実施形態とは異なる。
好ましくは、フレーム１１０は長方形を有する。このフレームは、フレームの一側に連結部１１１が形成され、フレームの反対側に排泄物容器１１２が設けられるように構成される。また、排泄物容器１１２の底面には、優れた吸水性を有する選択的吸収パッド１１３が着脱可能に設けられる。
【００２９】
また、フレームの他側には複数の半円形挿入凹部１１４が形成され、この半円形挿入凹部１１４の内部には長いガイド挿入スロット１１５が形成される。また、反対側には前記挿入凹部１１４と同一の半円形挿入凹部１１６が形成される。
【００３０】
フレーム１１０に形成された連結部１１１には、符号３００で示すコントロール部が挿入、連結される。このコントロール部には、愛玩動物を感知するためのセンサ３０１が設けられる。前記センサは、愛玩動物を効率よく感知するどのような種類のセンサであってもよい。この実施形態には、好ましくは赤外線センサを使用する。しかし、本発明の範囲内でＲＦセンサ、音響（超音波）センサ、重量センサなども使用可能である。また、前記センサはフレーム１１０上に存在する愛玩動物を感知するのに適切な便器のどのような位置にも取り付けられる。また、前記コントロール部には電源スイッチ３０２、リセットボタン３０３、電源供給端子３０４が設けられる。また、コントロール部内にはコントロール基板３０５、可逆モータ３０６及びモータブラケット３１２が順次取り付けられる。また、可逆モータ３０６にはガイドギヤ３０７が連結される。
【００３１】
好ましくは、コントロール部の少なくとも一側に、生成されるオゾン及び陰イオンが通過する複数の通気孔３０８が形成される。前記コントロール部内には任意に集塵板３０９が取り付けられるので、前記通気孔３０８を通過する空気が濾過される。オゾンはバクテリア及びウィルスを強い殺菌力で殺すのに使用される。すなわち、オゾンは愛玩動物の排泄物に含まれた有害細菌を絶滅し、排泄物から発生する悪臭を除去することができる。
【００３２】
より詳しくは、電源が供給されると、陰極ピン３０１に負電圧が印加される。この際、イオン化を引き起こすのに十分な高エネルギーを有する陰電子が鋭利な陰極ピン３１０の端部から高速で放出される。陰極ピン３１０から放出された電子は空気中の分子と衝突するので、陰イオンが発生し、通気孔３０８を介して放出される。集塵板３０９は、流入された微細埃を収集し、排泄物の悪臭を吸収する作用をする。
【００３３】
符号４００で示すガイドバーはガイド挿入スロット１１５に挿入され、ガイドバーはラック４０１を有するので、ガイドバーがガイドギヤ３０７と噛み合うことができる。ガイドバーには多数の移動突起４０２が形成される。
【００３４】
符号５００で集合的に示す床部材には、多数の孔が穿孔されている。好ましくは、各床部材５０１は格子型の構造を有する。好ましくは、床部材の断面は、便器の内部が見られるように、図１４に示す形状を有する。好ましくは、床部材５０１は合成樹脂、金属などの多様な材料から製造可能である。各床部材の両側にはピボットバー５０２が形成されるので、挿入凹部１１４及び１１６内に挿入されたピボットバー５０２上で床部材がピボット動作することができる。
【００３５】
ところで、各床部材の一側のピボットバー５０２には、隣接移動突起４０２間に自然に形成された移動凹部４０３内に挿入される傾斜移動バー５０３が一体的に形成される。
符号６００で示す連結フレームは多数の床部材５００の上面に結合され、その底面には半円形凹部６０１が形成されるので、挿入凹部１１４、１１６とともに円形を形成することになる。前記連結フレーム６００は、愛玩動物用便器が不注意に愛玩動物により裏返しになったときにも、床部材５００から離脱することを防止するために使用される。
【００３６】
未説明の符号３１１は、愛玩動物用便器を電源供給が不可能な場所で使用しようとするときに使用されるバッテリを示す。
以下、この実施形態の愛玩動物用便器の作動を説明する。
【００３７】
まず、コントロール部３００を操作して、愛玩動物が便器の床部材５００上で尿又は糞を排泄したかを判断するのに必要な時間を設定する。すなわち、愛玩動物が便器上で短時間留まると、愛玩動物が排尿したと判断する。一方、愛玩動物が長時間留まると、愛玩動物が糞を排泄したと判断する。愛玩動物が排尿するために床部材５００上に上ると、愛玩動物は床部材５００上で比較的短時間留まる。センサ３０１が感知した滞留時間が所定の臨界値より短いと、コントロール部３００は、愛玩動物が床部材５００から離れた後、何の動作も取らず、尿が排泄物容器１１２内に落ちるようにする。この際、床部材５００は格子構造を有するように構成されているため、床部材５００の表面から尿を除去するための何の動作も不要である。前記臨界値は多様な愛玩動物の習慣を観察して適宜設定することができる。
【００３８】
一方、愛玩動物が床部材５００上で所定の臨界値より長い時間留まる場合は、愛玩動物が糞を排泄したと判断する。この際、愛玩動物が床部材から離れた後、可逆モータ３０６が駆動し、この可逆モータ３０６の軸に連結されたガイドギヤ３０７が回転する。ガイドギヤ３０７が停止状態から回転し始めると、ガイドバー４００の先端部に形成されてガイドギヤ３０７と噛み合っているラック４０１が前後に往復動する。これにより、ガイドバー４００が往復動することになる。愛玩動物が糞を排泄し床部材５００を離れた後、図１３に示すように、ガイドバー４００が往復動するにつれて、可逆モータ３０６が所定の時間だけ又は所定の角度だけ時計方向に回転し、ガイドギヤ３０７は所定の時間だけ又は所定の角度だけ時計方向に回転して、ガイドバー４００が左側に移動するようにする。このように、ガイドバー４００が左側に移動するとき、移動バー５０３が左側に移動し、移動バー５０３に一体的に形成されたピボットバー５０２がピボット動作するので、水平状態の床部材５０１を垂直状態に配置することができる。この際、床部材５０１上に置かれた愛玩動物の糞は排泄物容器１１２内に落下する。その後、図１４に示すように、可逆モータ３０６が所定の時間だけ又は所定の角度だけ反時計方向に回転し、ガイドギヤ３０７は所定の時間だけ又は所定の角度だけ反時計方向に回転して、ガイドバー４００が右側に移動するようにする。このように、ガイドバー４００が右側に移動するとき、移動バー５０３が右側に移動し、移動バー５０３に一体的に形成されたピボットバー５０２がピボット動作するので、垂直状態の床部材５０１を水平状態に配置することができる。したがって、床部材５００は、愛玩動物が次回の使用時に床部材上に上れる状態になる。以上、床部材を回転させるための駆動部を特定の実施形態に基づいて説明したが、この駆動部は本発明の範囲内で多様な方式で変更及び改造可能である。このような変更及び改造形態の幾つかを以前の実施形態で説明した。
【００３９】
前述した基本的な動作に関連して、愛玩動物の排泄物から発生する悪臭は、好ましくはコントロール部３００に形成された通気孔３０８を介して生成されるオゾン及び陰イオンで脱臭することがより好ましい。このような脱臭作用は陰イオンが空気より重い特性を利用するものである。通気孔３０８を介して生成された陰イオンは床部材５００側に移動し、愛玩動物の排泄物から発生した悪臭を脱臭する。空気に含まれた微細埃を収集し悪臭を脱臭するため、通気孔３０８の内部には集塵板３０９が設けられる。
【００４０】
以上、本発明を特定の好ましい実施形態と関連して説明及び例示したが、本発明はこれらに限定されるものではない。当業者であれば、添付の特許請求範囲により定められる本発明の技術的精神及び範囲から逸脱することなく多様な修正例及び変形例が可能であることが理解されよう。
【産業上の利用可能性】
【００４１】
以上のように構成された本発明によると、愛玩動物の排泄物を便利で容易に処理することができる。電源が便器に供給されるか否かにかかわらず、愛玩動物が排泄を終えると、メロディスピーカーによりメロディが生成されるため、愛玩動物の所有者は愛玩動物が排泄する時ごとに愛玩動物に付き添って行く必要がない。特に、電源の停電時にも、プッシュプレート、移動レバー又は回転つまみの手動動作により愛玩動物の排泄物を容易で便利に処理することができる。また、本発明の愛玩動物用便器は、愛玩動物が便器上で留まった時間及びセンサが感知した時間に基づき、愛玩動物が尿又は糞を排泄したかを判断することにより、自動的に作動させることができる。さらに、便器のフレームに多数の通気孔が形成され、この通気孔を介して陰イオンが発生されるため、愛玩動物の排泄物から放出される悪臭を陰イオンで脱臭することができる。また、空気に含まれた微細埃及び悪臭を集塵及び脱臭するため、通気孔の内部に集塵板を設けることができる。
【図面の簡単な説明】
【００４２】
【図１】本発明による愛玩動物用便器の分解斜視図である。
【図２】本発明による愛玩動物用便器の組立斜視図である。
【図３】本発明の別の実施形態による愛玩動物用便器の斜視図である。
【図４】本発明による愛玩動物用便器の作動状態を示す断面図である。
【図５】本発明のさらに別の実施形態による愛玩動物用便器の斜視図である。
【図６】図５の愛玩動物用便器の一部の断面図である。
【図７】本発明のさらに別の実施形態による愛玩動物用便器の斜視図である。
【図８】図７の愛玩動物用便器の部分断面図である。
【図９】本発明による床部材の回転状態を示す正面図である。
【図１０】本発明のさらに別の実施形態による愛玩動物用便器の斜視図である。
【図１１】図１０の愛玩動物用便器の分解斜視図である。
【図１２】図１０の愛玩動物用便器の正面図である。
【図１３】図１０の愛玩動物用便器の作動中に床部材が開いた状態を示す断面図である。
【図１４】図１０の愛玩動物用便器の作動中に床部材が閉じた状態を示す断面図である。
【図１】
2005523030.tif 000003
【図２】
2005523030.tif 000004
【図３】
2005523030.tif 000005
【図４】
2005523030.tif 000006
【図５】
2005523030.tif 000007
【図６】
2005523030.tif 000008
【図７】
2005523030.tif 000009
【図８】
2005523030.tif 000010
【図９】
2005523030.tif 000011
【図１０】
2005523030.tif 000012
【図１１】
2005523030.tif 000013
【図１２】
2005523030.tif 000014
【図１３】
2005523030.tif 000015
【図１４】
2005523030.tif 000016
【国際調査報告】
2005523030.tif 000017